(57)【要約】      （修正有）【課題】捨て水ホースの出口の汚れが生じないとともに、捨て水の落下音及び跳ね水による不具合をより一層防止できる洋風水洗式便器を提供する。【解決手段】洋風便器本体２０の上縁にリム通水路２３aを形成。便器洗浄装置は洋風便器本体２０の後部に設けられ、先端がリム通水路２３ａの後部に延在されるリム給水管８８を有する。局部洗浄装置は、洋風便器本体２０の後部に設けられ、温水タンク９７とノズル９８と、水道管９０との流路の途中に設けられ、温水タンク９７に供給される水量を適量に調整しつつ調整時の余剰水を捨て水として排出する流量調整弁と、流量調整弁と接続され捨て水を洋風便器本体２０に案内する捨て水ホース９６とを有する。この洋風水洗式便器１において、洋風便器本体２０の後部には、リム通水路２３ａに隔てなく繋がり、リム給水管８８が延在されるリム導水室１０が形成され、捨て水ホース９６の出口２６はリム導水室１０内に設ける。【選択図】図１
2006291581.tif 000002
【特許請求の範囲】
【請求項１】
便鉢と、該便鉢の上縁に形成され、内側が該便鉢の鉢面を洗浄するためのリム通水路とされたリムと、該便鉢の下端に接続されたトラップとを有する洋風便器本体と、
該洋風便器本体の後部に設けられ、水道管から供給された洗浄水を該リム通水路によって吐水させる便器洗浄装置と、
該洋風便器本体の後部に設けられ、該水道管から供給された該洗浄水を温水タンクに貯留し、ノズルによって人体の局部に吐水させる局部洗浄装置とを備え、
該便器洗浄装置又は該局部洗浄装置は、該水道管との流路の途中に設けられ、該温水タンクに供給される水量を適量に調整しつつ調整時の余剰水を捨て水として排出する流量調整弁と、該流量調整弁と接続され、該捨て水を該洋風便器本体に案内する捨て水ホースとを有する洋風水洗式便器において、
前記洋風便器本体の後部には、前記リム通水路に隔てなく繋がるリム導水室が形成され、前記捨て水ホースの出口は該リム導水室内に設けられていることを特徴とする洋風水洗式便器。
【請求項２】
前記便器洗浄装置は、先端が前記リム通水路の後部に延在されるリム給水管を有し、前記水道管から供給された前記洗浄水を該リム給水管によって吐水させるものであり、
前記リム導水室には該リム給水管が延在されることを特徴とする請求項１記載の洋風水洗式便器。
【請求項３】
前記便器洗浄装置は、前記洋風便器本体に固定されるベースプレート上に設けられ、前記リム給水管が接続される便器洗浄タンクを有し、前記捨て水ホースの出口は、該便器洗浄タンクの裏面に位置する該ベースプレートを貫通して前記リム導水室内に設けられていることを特徴とする請求項２記載の洋風水洗式便器。
【請求項４】
前記便器洗浄装置は、前記洋風便器本体と固定される後部ベースプレート上に設けられ、前記リム給水管が接続される便器洗浄タンクを有し、前記局部洗浄装置は該後部ベースプレートに対して昇降可能な前部ベースプレートを有し、前記捨て水ホースの出口は、該便器洗浄タンクの裏面に位置する該後部ベースプレートを貫通して前記リム導水室内に設けられていることを特徴とする請求項３記載の洋風水洗式便器。
【請求項５】
前記洋風便器本体は前記リム導水室を隠蔽する壁面を有し、前記便器洗浄装置は、該壁面に固定されるベースプレート上に設けられ、前記水道管と前記リム給水管とを直結する開閉弁を有し、前記捨て水ホースの出口は、該ベースプレート及び該壁面を貫通して前記リム導水室内に設けられていることを特徴とする請求項２記載の洋風水洗式便器。
【請求項６】
前記便器洗浄装置は、前記洋風便器本体と固定される後部ベースプレート上に設けられ、前記水道管と前記リム給水管とを直結する開閉弁を有し、前記局部洗浄装置は該後部ベースプレートに対して昇降可能な前部ベースプレートを有し、前記捨て水ホースの出口は、該後部ベースプレート及び該壁面を貫通して前記リム導水室内に設けられていることを特徴とする請求項５記載の洋風水洗式便器。
【請求項７】
前記リム導水室を構成する下面は、該リム導水室から前記リム通水路に向かって下っていることを特徴とする請求項１乃至６のいずれか１項記載の洋風水洗式便器。
【発明の詳細な説明】
【技術分野】
【０００１】
本発明は洋風水洗式便器に関する。
【背景技術】
【０００２】
一般的な洋風水洗式便器は、洋風便器本体、便器洗浄装置及び局部洗浄装置を備えている。
【０００３】
洋風便器本体は、便鉢と、便鉢の上縁に形成され、内側が便鉢の鉢面を洗浄するためのリム通水路とされたリムと、便鉢の下端に接続されたトラップとを有している。
【０００４】
便器洗浄装置は、洋風便器本体の後部に設けられ、水道管から供給された洗浄水をリム通水路を介して吐水させるものである。一般的な便器洗浄装置は、先端がリム通水路の後部に延在されるリム給水管を有し、水道管から供給された洗浄水をリム給水管によって吐水させるものである。
【０００５】
通常、便器洗浄タンクを有する便器洗浄装置は、洋風便器本体に固定されるベースプレート上にその便器洗浄タンクが設けられており、リム給水管はそのベースプレートを介して便器洗浄タンクに接続されている。特に、近年の便器洗浄装置は、洋風便器本体と固定される後部ベースプレートと、その後部ベースプレートに対して昇降可能な前部ベースプレートとを有しており、便器洗浄タンクは後部ベースプレート上に設けられている。
【０００６】
また、便器洗浄タンクを有しない便器洗浄装置は、洋風便器本体に固定されるベースプレート上に水道管とリム給水管とを直結する開閉弁を有している。特に、近年の便器洗浄装置は、洋風便器本体と固定される後部ベースプレートと、その後部ベースプレートに対して昇降可能な前部ベースプレートとを有しており、開閉弁は後部ベースプレート上に設けられている。
【０００７】
局部洗浄装置は、洋風便器本体の後部に設けられ、水道管から供給された洗浄水を温水タンクに貯留し、ノズルによって人体の局部に吐水させるものである。
【０００８】
近年の洋風水洗式便器では、便器洗浄装置と局部洗浄装置とが一体に組み付けられている。そして、便器洗浄装置又は局部洗浄装置では、例えば便器洗浄タンクを有する便器洗浄装置を採用している場合、図５に模式的に示すように、水道管９０にフレキシブルホース９１によって給水ユニット９２が接続されている。
【０００９】
一般的な給水ユニット９２は、便器洗浄タンク用ホース９３ａを介して、便器洗浄タンク８９に水を分岐する分岐部９３と、この分岐部９３と一体をなし、水の残部が供給される流量調整部９４とからなる。流量調整部９４は、流量調整弁（図示しない）を内蔵しており、二つの排水口９４ａ、９４ｂを有している。一方の排水口９４ａには温水タンク用ホース９５が接続され、他方の排水口９４ｂには捨て水ホース９６が接続されている。温水タンク用ホース９５は温水タンク９７の下方に接続されており、温水タンク９７の上方は、ノズル９８に接続されている。捨て水ホース９６の出口９６ａは、ベースプレート９９を貫通して洋風便器本体８０のトラップ８１に溜まった封水８２に対面されている。なお、後部ベースプレートに対して昇降可能な前部ベースプレートを有する洋風水洗式便器においては、捨て水ホースの出口は前部ベースプレートを貫通して洋風便器本体８０の封水８２に対面されている。
【００１０】
このような構成である従来の洋風水洗式便器では、便器洗浄装置が便器洗浄タンク８９を有する場合には、水道管９０から供給された洗浄水を便器洗浄タンク８９内に一旦貯留する。そして、その洗浄水をリム給水管８８によってリム通水路８３ａ内に吐水させることにより、洋風便器本体８０における便鉢８４の鉢面８４ａを洗浄することができる。鉢面８４ａの洗浄が終われば、給水ユニット９２の分岐部９３を介して便器洗浄タンク８９内に新たな洗浄水が供給される。また、便器洗浄装置が便器洗浄タンク８９を有しない場合には、水道管９０から供給された洗浄水を直接リム給水管８８によってリム通水路８３ａ内に吐水させることにより、鉢面８４ａを洗浄することができる。
【００１１】
また、この洋風水洗式便器では、局部洗浄装置によって、水道管９０から供給された洗浄水を適温の温水として温水タンク９７に貯留する。そして、流量調整部９４により流量が調整された洗浄水を温水タンク９７に供給することにより、温水タンク９７内の温水をノズル９８から人体の局部に吐水させ、使用者の局部を洗浄することもできる。この際、給水ユニット９２における流量調整部９４の流量調整弁は、温水タンク用ホース９５によって温水タンク９７に供給する水量を適量に調整して、温水タンク９７の内圧の上昇を抑制し、温水タンク９７の破損を防止する。そして、調整時の余剰水は、捨て水ホース９６に案内され、洋風便器本体８０の封水８２に捨て水として排出される。
【００１２】
しかし、上記一般的な洋風水洗式便器では、捨て水ホース９６の出口９６ａが洋風便器本体８０の封水８２に対面されていたため、捨て水が封水８２に直接落下し、飛沫によって人の臀部が濡れたり、異音を生じたりする不具合がある。
【００１３】
このため、特許文献１、２開示の洋風水洗式便器も提案されてはいる。
【００１４】
特許文献１の洋風水洗式便器は、捨て水ホースの出口を洋風便器本体の後部の上方に配置したものである。この洋風水洗式便器では、捨て水ホースの出口から排出された捨て水が直接封水に落下せず、上記不具合が緩和される。
【００１５】
また、特許文献２の洋風水洗式便器は、捨て水ホースの出口を洋風便器本体の後部の鉢面に沿うように配置したものである。この洋風水洗式便器では、捨て水ホースの出口から排出された捨て水が鉢面をなめるようにして流れ、やはり上記不具合が緩和される。
【００１６】
【特許文献１】特開２００４−１０８０７６号公報
【特許文献２】特開平７−２５９１６１号公報
【発明の開示】
【発明が解決しようとする課題】
【００１７】
しかしながら、特許文献１の洋風水洗式便器においては、捨て水が鉢面に落下することから、その際に落下音や跳ね水が生じるおそれがあり、必ずしも上記不具合を解決することができない。
【００１８】
また、特許文献１開示の洋風水洗式便器では、流量調整部から洋風便器本体の後部まで捨て水を案内するために、捨て水ホースが長くされ、かつ構成部材同士の隙間をぬう様にこれを配置しなければならない。このため、捨て水ホースの材料コストと、捨て水ホースの装着作業の煩雑さとにより、製造コストの上昇を招いてしまう。この点、特許文献２開示の洋風水洗式便器も同様である。
【００１９】
さらに、特許文献２の洋風水洗式便器では、捨て水ホースの出口が鉢面に剥き出しになりやすく、意匠性の点で満足し難いものがあるとともに、捨て水ホースの出口に汚水が付着することにより、汚れが生じやすい。
【００２０】
本発明は、上記従来の実情に鑑みてなされたものであって、製造コストの低廉化を実現し、意匠性に優れ、かつ捨て水ホースの出口の汚れが生じないとともに、捨て水の落下音及び跳ね水による不具合をより一層防止できる洋風水洗式便器を提供することを解決すべき課題としている。
【課題を解決するための手段】
【００２１】
本発明の洋風水洗式便器は、便鉢と、該便鉢の上縁に形成され、内側が該便鉢の鉢面を洗浄するためのリム通水路とされたリムと、該便鉢の下端に接続されたトラップとを有する洋風便器本体と、
【００２２】
該洋風便器本体の後部に設けられ、水道管から供給された洗浄水を該リム給水管によって吐水させる便器洗浄装置と、
【００２３】
該洋風便器本体の後部に設けられ、該水道管から供給された該洗浄水を温水タンクに貯留し、ノズルによって人体の局部に吐水させる局部洗浄装置とを備え、
【００２４】
該便器洗浄装置又は該局部洗浄装置は、該水道管との流路の途中に設けられ、該温水タンクに供給される水量を適量に調整しつつ調整時の余剰水を捨て水として排出する流量調整弁と、該流量調整弁と接続され、該捨て水を該洋風便器本体に案内する捨て水ホースとを有する洋風水洗式便器において、
【００２５】
前記洋風便器本体の後部には、前記リム通水路に隔てなく繋がるリム導水室が形成され、前記捨て水ホースの出口は該リム導水室内に設けられていることを特徴とする。
【００２６】
このような構成である本発明の洋風水洗式便器では、捨て水ホースの出口から排出された捨て水は、リム導水室からリム通水路を経由し、鉢面を伝って洋風便器本体の封水に流下する。このため、この洋風水洗式便器では、捨て水が封水に直接落下したり、鉢面に落下したりすることがなく、飛沫によって人の臀部が濡れたり、異音を生じたりする不具合を防止できる。
【００２７】
また、この洋風水洗式便器では、捨て水ホースの出口がリム導水室内に設けられているので、捨て水ホースを従来のものよりも短くすることができ、かつ構成部材同士の隙間をぬう様に配置する必要性が低下する。このため、捨て水ホースの材料コストの削減と、捨て水ホースの装着作業の容易化とにより、製造コストの低廉化を実現できる。
【００２８】
さらに、この洋風水洗式便器では、捨て水ホースの出口が鉢面に剥き出しになっていないので、意匠性を低下させることがなく、捨て水ホースの出口に汚水が付着することもない。このため、この洋風水洗式便器では、捨て水ホースの出口に汚れが生じない。
【００２９】
したがって、本発明の洋風水洗式便器は、製造コストの低廉化を実現し、意匠性に優れ、かつ捨て水ホースの出口に汚れが生じないとともに、捨て水の落下音及び跳ね水による不具合をより一層防止できる。
【００３０】
便器洗浄装置は、先端がリム通水路の後部に延在されるリム給水管を有し、水道管から供給された洗浄水をリム給水管によって吐水させるものであり得る。この場合、リム導水室にはリム給水管が延在され得る。
【００３１】
便器洗浄装置は、洋風便器本体に固定されるベースプレート上に設けられ、リム給水管が接続される便器洗浄タンクを有し得る。この場合、捨て水ホースの出口は、便器洗浄タンクの裏面に位置するベースプレートを貫通してリム導水室内に設けられ得る。
【００３２】
本発明の洋風水洗式便器は便器洗浄装置が便器洗浄タンクを有するものである。この場合、捨て水ホースの出口がベースプレートを貫通しているので、捨て水ホースの長さをより短くすることができ、かつ構成部材同士の隙間をぬう様に配置する必要性がさらに低下する。このため、この洋風水洗式便器は、本発明の効果を確実に奏することができる。また、この洋風水洗式便器は、ベースプレートに形成される貫通孔に捨て水ホースの出口の固定部を一体に設ける構造とすることにより、組立て作業性をも向上させることができる。
【００３３】
便器洗浄装置は、洋風便器本体と固定される後部ベースプレート上に設けられ、リム給水管が接続される便器洗浄タンクを有し、局部洗浄装置は後部ベースプレートに対して昇降可能な前部ベースプレートを有し得る。この場合、捨て水ホースの出口は、便器洗浄タンクの裏面に位置する後部ベースプレートを貫通してリム導水室内に設けられ得る。
【００３４】
このような構成である場合、本発明の洋風水洗式便器は、前部ベースプレートを上昇させることにより洋風便器本体の便器上面と前部ベースプレートとの間の清掃を容易に行うことができる。そして、捨て水ホースの出口を後部ベースプレートで貫通させているため、前部ベースプレートの上昇量が捨て水ホースの長さによって制限されず、高い自由度を実現できるとともに、逆に捨て水ホースにその上昇量に相当する余剰分を設ける必要がなくなり、製造コストの低廉化を確実に実現できる。
【００３５】
洋風便器本体はリム導水室を隠蔽する壁面を有し、便器洗浄装置は、壁面に固定されるベースプレート上に設けられ、水道管とリム給水管とを直結する開閉弁を有し得る。この場合、捨て水ホースの出口は、ベースプレート及び壁面を貫通してリム導水室内に設けられ得る。
【００３６】
本発明の洋風水洗式便器は便器洗浄装置が便器洗浄タンクを有しないものである。この場合も、捨て水ホースの出口がベースプレート及び壁面を貫通してリム導水室内に設けられているので、捨て水ホースの長さをより短くすることができ、かつ構成部材同士の隙間をぬう様に配置する必要性がさらに低下する。このため、この洋風水洗式便器は、本発明の効果を確実に奏することができる。
【００３７】
便器洗浄装置は、洋風便器本体と固定される後部ベースプレート上に設けられ、水道管とリム給水管とを直結する開閉弁を有し、局部洗浄装置は後部ベースプレートに対して昇降可能な前部ベースプレートを有し得る。この場合、捨て水ホースの出口は、後部ベースプレート及び壁面を貫通してリム導水室内に設けられ得る。
【００３８】
このような構成である場合も、本発明の洋風水洗式便器は、前部ベースプレートを上昇させることにより洋風便器本体の便器上面と前部ベースプレートとの間の清掃を容易に行うことができる。そして、捨て水ホースの出口を後部ベースプレート及び壁面で貫通させているため、前部ベースプレートの上昇量が捨て水ホースの長さによって制限されず、高い自由度を実現できるとともに、逆に捨て水ホースにその上昇量に相当する余剰分を設ける必要がなくなり、製造コストの低廉化を確実に実現できる。
【００３９】
本発明において、リム導水室はリム通水路に隔てなく繋がっている。ここで、リム導水室を構成する下面は、滑らかにリム通水路に繋がっていることが好ましい。また、この下面はリム導水室からリム通水路に向かって下っていることが好ましい。この場合、リム導水室内に捨て水が残存し難く、湿気や黴を防止することができる。
【発明を実施するための最良の形態】
【００４０】
以下、本発明を具体化した実施例１、２を図面を参照しつつ、説明する。
【実施例１】
【００４１】
図１〜３に示すように、実施例１の洋風水洗式便器１は、洋風便器本体２０を備えている。また、洋風水洗式便器１は、後述する便器洗浄装置及び局部洗浄装置も備えている。
【００４２】
洋風便器本体２０は、便鉢２４と、便鉢２４の上縁に形成され、内側が便鉢２４の鉢面２４ａを洗浄するためのリム通水路２３ａとされたリム２３と、便鉢２４の下端に接続されたトラップ２１とを有している。
【００４３】
洋風便器本体２０の後部には、上方に向けて開放されているとともに、リム通水路２３ａに隔てなく繋がるリム導水室１０が形成されている。そして、リム導水室１０を構成する下面１０ａは、リム導水室１０からリム通水路２３ａに向かって下っている。
【００４４】
また、洋風便器本体２０の後部には、一端がリム通水路２３ａの後部に延在され、他端がリム導水室１０に延在されるリム給水管８８が設けられている。
【００４５】
さらに、洋風便器本体２０の後部上面には、リム導水室１０の上方を覆蓋するように後部ベースプレート２９ａが固定されている。後部ベースプレート２９ａの上には、便器洗浄タンク８９が設けられており、リム給水管８８は後部ベースプレート２９ａを介して便器洗浄タンク８９に接続されている。また、後部ベースプレート２９ａには後述する温水タンク９７が載置されている。後部ベースプレート２９ａの前方には、後部ベースプレート２９ａに対して昇降可能な前部ベースプレート２９ｂが設けられている。
【００４６】
前部ベースプレート２９ｂには後述するノズル９８が載置されている。また、前部ベースプレート２９ｂには、便座７８及び便蓋７９を開閉可能に支承しつつ、洗浄タンク８９、温水タンク９７及びノズル９８等を隠蔽するタンクカバー７７が固定されている。このため、前部ベースプレート２９ｂを後部ベースプレート２９ａに対して上昇させれば、タンクカバー７７、便座７８及び便蓋７９も一体となって上昇するので、洋風便器本体２０の便器上面と前部ベースプレート２９ｂとの間を清掃し易くなっている。
【００４７】
一方、水道管９０にはフレキシブルホース９１によって給水ユニット９２が接続されている。なお、給水ユニット９２は、図１及び図２では、模式的に洋風便器本体２０から離れた位置に描かれているが、実際には、タンクカバー７７内の後部ベースプレート２９ａに固定されている。
【００４８】
給水ユニット９２は、便器洗浄タンク用ホース９３ａを介して、便器洗浄タンク８９に水を分岐する分岐部９３と、この分岐部９３と一体をなし、水の残部が供給される流量調整部９４とからなる。流量調整部９４は、流量調整弁（図示しない）を内蔵しており、二つの排水口９４ａ、９４ｂを有している。一方の排水口９４ａには温水タンク用ホース９５が接続され、他方の排水口９４ｂには捨て水ホース９６が接続されている。温水タンク用ホース９５は温水タンク９７の下方に接続されており、温水タンク９７の上方はノズル９８に接続されている。捨て水ホース９６の出口２６は、後部ベースプレート２９ａを貫通孔２９ｃによって貫通して洋風便器本体２０のリム導水室１０内に設けられている。給水ユニット９２の排水口９４ｂ及び捨て水ホース９６の出口２６は、共に後部ベースプレート２９ａ側にあるため、捨て水ホース９６は比較的短い長さとされ、かつ構成部材同士の隙間をぬうように配置しなくてもよくなっている。
【００４９】
給水ユニット９２、便器洗浄タンク用ホース９３ａ、便器洗浄タンク８９及びリム給水管８８により、便器洗浄装置が構成されている。この便器洗浄装置は、水道管９０から供給された洗浄水をリム給水管８８によって吐水させるものである。
【００５０】
給水ユニット９２、温水タンク用ホース９５、温水タンク９７、ノズル９８及び捨て水ホース９６により、局部洗浄装置が構成されている。この局部洗浄装置は、水道管９０から供給された洗浄水を温水タンク９７に貯留し、ノズル９８によって人体の局部に吐水させるものである。
【００５１】
このような構成である実施例１の洋風水洗式便器１では、水道管９０から供給された洗浄水を便器洗浄タンク８９内に一旦貯留する。そして、その洗浄水をリム給水管８８によってリム通水路２３ａ内に吐水させることにより、洋風便器本体２０における便鉢２４の鉢面２４ａを洗浄することが可能となっている。鉢面２４ａの洗浄が終われば、給水ユニット９２の分岐部９３及び便器洗浄タンク用ホース９３ａを介して便器洗浄タンク８９内に新たな洗浄水が供給される。
【００５２】
また、この洋風水洗式便器１では、局部洗浄装置によって、水道管９０から供給された洗浄水を適温の温水として温水タンク９７に貯留する。そして、流量調整部９４により流量が調整された洗浄水を温水タンク９７に供給することにより、温水タンク９７内の温水をノズル９８から人体の局部に吐水させ、使用者の局部を洗浄することも可能となっている。この際、給水ユニット９２における流量調整部９４の流量調整弁は、温水タンク用ホース９５によって温水タンク９７に供給する水量を適量に調整して、温水タンク９７の内圧の上昇を抑制し、温水タンク９７の破損を防止する。そして、調整時の余剰水は、捨て水ホース９６に案内され、洋風便器本体２０のリム導水室１０内に設けられた捨て水ホース９６の出口２６から捨て水として排出される。
【００５３】
さらに、この洋風水洗式便器１は、前部ベースプレート２９ｂを上昇させることにより洋風便器本体２０の便器上面と前部ベースプレート２９ｂとの間の清掃を容易に実施可能となっている。
【００５４】
ここで、この洋風水洗式便器１において、洋風便器本体２０の後部には、リム通水路２３ａに隔てなく繋がり、リム給水管８８が延在されるリム導水室１０が形成され、捨て水ホース９６の出口２６はリム導水室１０内に設けられている。
【００５５】
このため、捨て水ホース９６の出口２６から排出された捨て水は、リム導水室１０からリム通水路２３ａを経由し、鉢面２４ａを伝って洋風便器本体２０の封水８２に流下する。このため、この洋風水洗式便器１では、捨て水が封水８２に直接落下したり、鉢面２４ａに落下したりすることがなく、飛沫によって人の臀部が濡れたり、異音を生じたりする不具合を防止できている。
【００５６】
また、この洋風水洗式便器１では、捨て水ホース９６の出口２６が後部ベースプレート２９ａを貫通孔２９ｃにより貫通して、リム導水室１０内に設けられているので、捨て水ホース９６を従来のものよりも短くすることができており、かつ構成部材同士の隙間をぬう様に配置する必要性が低下している。このため、捨て水ホース９６の材料コストの削減と、捨て水ホース９６の装着作業の容易化とにより、製造コストの低廉化を実現できている。
【００５７】
さらに、この洋風水洗式便器１では、捨て水ホース９６の出口２６が鉢面２４ａに剥き出しになっていないので、意匠性を低下させることがなく、捨て水ホース９６の出口２６に汚水が付着することもない。このため、この洋風水洗式便器１では、捨て水ホース９６の出口２６の汚れが生じない。
【００５８】
したがって、実施例１の洋風水洗式便器１は、製造コストの低廉化を実現し、意匠性に優れ、かつ捨て水ホース９６の出口２６の汚れが生じないとともに、捨て水の落下音及び跳ね水による不具合をより一層防止できている。
【００５９】
また、この洋風水洗式便器１において、リム導水室１０を構成する下面１０ａは、リム導水室１０からリム通水路２３ａに向かって下っている。このため、リム導水室１０内に捨て水が残存し難くなっており、湿気や黴を防止することができている。
【００６０】
さらに、この洋風水洗式便器１は、捨て水ホース９６の出口２６を後部ベースプレート２９ａで貫通させているため、前部ベースプレート２９ｂの上昇量が捨て水ホース９６の長さによって制限されず、高い自由度を実現できているとともに、逆に捨て水ホース９６にその上昇量に相当する余剰分を設ける必要がなくなっており、製造コストの一層の低廉化が可能となっている。
【実施例２】
【００６１】
図４に示すように、実施例２の洋風水洗式便器２は、実施例１の洋風水洗式便器１に対して、便器洗浄タンク８９を有しておらず、後述する便器洗浄装置が水道管９０から供給された洗浄水を直接リム給水管８８ａによって吐水させるものである点が大きく異なる。
【００６２】
洋風便器本体３０は、便鉢３４と、便鉢３４の上縁に形成され、内側が便鉢３４の鉢面３４ａを洗浄するためのリム通水路３３ａとされたリム３３と、便鉢３４の下端に接続されたトラップ３１とを有している。
【００６３】
また、洋風便器本体３０は、便器洗浄タンク８９を有しないことにより、洋風便器本体３０の後部が実施例１の洋風便器本体２０よりも小さくされている。具体的には、洋風便器本体３０の後部には、リム通水路３３ａに隔てなく繋がるリム導水室１１が形成されており、リム導水室の上方及び後方を隠蔽する壁面３５を有している。そして、リム導水室１１を構成する下面１１ａは、リム導水室１１からリム通水路３３ａに向かって下っている。
【００６４】
また、洋風便器本体３０の後部には、一端がリム通水路３３ａの後部に延在され、他端がリム導水室１１に延在されるリム給水管８８ａが設けられている。さらに、洋風便器本体３０の後部下側にはジェット洗浄管８８ｂの一端が設けられており、ジェット洗浄管８８ｂの他端は便鉢３４の下端に接続されまで延在され、トラップ３１に固定されたノズル８８ｃに接続されている。
【００６５】
さらに、洋風便器本体３０の後部上面には後部ベースプレート３９ａが固定されている。後部ベースプレート３９ａの上には、後述する開閉弁３７ａ、３７ｂが設けられている。なお、開閉弁３７ａ、３７ｂは、図４では、模式的に洋風便器本体３０から離れた位置に描かれているが、実際には、カバー７７ａ内の後部ベースプレート３９ａに固定されている。リム給水管８８ａは後部ベースプレート３９ａを介して開閉弁３７ａに接続され、ジェット洗浄管８８ｂの一端は後部ベースプレート３９ａを介して開閉弁３７ｂに接続されている。また、後部ベースプレート３９ａには後述する温水タンク９７も載置されている。後部ベースプレート３９ａの前方には、後部ベースプレート３９ａに対して昇降可能な前部ベースプレート３９ｂが設けられている。
【００６６】
前部ベースプレート３９ｂにはノズル９８が載置されている。また、前部ベースプレート３９ｂには、便座７８及び便蓋７９を開閉可能に支承しつつ、温水タンク９７及びノズル９８等を覆うカバー７７ａが固定されている。このため、前部ベースプレート３９ｂを後部ベースプレート３９ａに対して上昇させれば、カバー７７ａ、便座７８及び便蓋７９も一体となって上昇するので、洋風便器本体３０の便器上面と前部ベースプレート３９ｂとの間を清掃し易くなっている。
【００６７】
一方、水道管９０にフレキシブルホース９１によって給水ユニット９２が接続されている。なお、給水ユニット９２は、図４では、模式的に洋風便器本体３０から離れた位置に描かれているが、実際には、カバー７７ａ内の後部ベースプレート３９ａに固定されている。
【００６８】
給水ユニット９２は、便器洗浄用ホース９３ｂを介して開閉弁３７ａ、３７ｂに接続される分岐部９３１と、この分岐部９３１と一体をなし、水の残部が供給される流量調整部９４とからなる。流量調整部９４は、流量調整弁（図示しない）を内蔵しており、二つの排水口９４ａ、９４ｂを有している。一方の排水口９４ａには温水タンク用ホース９５が接続され、他方の排水口９４ｂには捨て水ホース９６が接続されている。温水タンク用ホース９５は温水タンク９７の下方に接続されており、温水タンク９７の上方は、ノズル９８に接続されている。捨て水ホース９６の出口３６は、後部ベースプレート３９ａ及び洋風便器本体３０の背面側の壁面３５を貫通孔３９ｃ、３９ｄによって貫通して、洋風便器本体３０のリム導水室１１内に設けられている。給水ユニット９２の排水口９４ｂ及び捨て水ホース９６の出口３６は、共に洋風便器本体３０の後部付近にあるため、捨て水ホース９６は比較的短い長さとされ、かつ構成部材同士の隙間をぬうように配置しなくてもよくなっている。
【００６９】
給水ユニット９２、便器洗浄用ホース９３ｂ、開閉弁３７ａ、３７ｂ、リム給水管８８ａ、ジェット洗浄管８８ｂにより、便器洗浄装置が構成されている。この便器洗浄装置は、後部ベースプレート３９ａ上に設けられ、水道管９０から供給された洗浄水を開閉弁３７ａ、３７ｂ、リム給水管８８ａ及びジェット洗浄管８８ｂによって吐水させるものである。
【００７０】
給水ユニット９２、温水タンク用ホース９５、温水タンク９７、ノズル９８及び捨て水ホース９６により、局部洗浄装置が構成されている。この局部洗浄装置は、水道管９０から供給された洗浄水を温水タンク９７に貯留し、ノズル９８によって人体の局部に吐水させるものである。
【００７１】
このよう構成である実施例２の洋風水洗式便器２では、水道管９０から供給された洗浄水を開閉弁３７ａ、３７ｂ、リム給水管８８ａ及びジェット洗浄管８８ｂによってリム通水路３３ａ内に吐水させることにより、洋風便器本体３０における便鉢３４の鉢面３４ａを洗浄することが可能となっている。
【００７２】
また、この洋風水洗式便器２では、局部洗浄装置によって、水道管９０から供給された洗浄水を適温の温水として温水タンク９７に貯留する。そして、流量調整部９４により流量が調整された洗浄水を温水タンク９７に供給することにより、温水タンク９７内の温水をノズル９８から人体の局部に吐水させ、使用者の局部を洗浄することも可能となっている。この際、給水ユニット９２における流量調整部９４の流量調整弁は、温水タンク用ホース９５によって温水タンク９７に供給する水量を適量に調整して、温水タンク９７の内圧の上昇を抑制し、温水タンク９７の破損を防止する。そして、調整時の余剰水は、捨て水ホース９６に案内され、洋風便器本体３０のリム導水室１１内に設けられた捨て水ホース９６の出口３６から捨て水として排出される。
【００７３】
ここで、この洋風水洗式便器２において、洋風便器本体３０は、リム導水室１１を隠蔽する壁面３５を有し、便器洗浄装置は、洋風便器本体３０と固定される後部ベースプレート３９ａ上に設けられ、水道管９０とリム給水管８８ａとを直結する開閉弁３７ａ、３７ｂを有している。そして、捨て水ホース９６の出口３６は、後部ベースプレート３９ａ及び壁面３５を貫通孔３９ｃ、３９ｄによって貫通してリム導水室１１内に設けられている。
【００７４】
このため、捨て水ホース９６の出口３６から排出された捨て水は、リム導水室１１からリム通水路３３ａを経由し、鉢面３４ａを伝って洋風便器本体３０の封水８２に流下する。このため、この洋風水洗式便器２でも、捨て水が封水８２に直接落下したり、鉢面３４ａに落下したりすることがなく、飛沫によって人の臀部が濡れたり、異音を生じたりする不具合を防止できている。
【００７５】
また、この洋風水洗式便器２では、捨て水ホース９６の出口３６が後部ベースプレート３９ａ及び壁面３５を貫通孔３９ｃ、３９ｄによって貫通して、リム導水室１１内に設けられているので、捨て水ホース９６を従来のものよりも短くすることができており、かつ構成部材同士の隙間をぬう様に配置する必要性が低下している。このため、捨て水ホース９６の材料コストの削減と、捨て水ホース９６の装着作業の容易化とにより、製造コストの低廉化を実現できている。
【００７６】
さらに、この洋風水洗式便器２でも、捨て水ホース９６の出口３６が鉢面３４ａに剥き出しになっていないので、意匠性を低下させることがなく、捨て水ホース９６の出口３６に汚水が付着することもない。このため、この洋風水洗式便器２でも、捨て水ホース９６の出口３６の汚れが生じない。
【００７７】
したがって、実施例２の洋風水洗式便器２も、製造コストの低廉化を実現し、意匠性に優れ、かつ捨て水ホース９６の出口３６に汚れが生じないとともに、捨て水の落下音及び跳ね水による不具合をより一層防止できている。
【００７８】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００７９】
本発明は洋風水洗式便器に利用可能である。
【図面の簡単な説明】
【００８０】
【図１】実施例１の洋風水洗式便器の模式図である。
【図２】実施例１の洋風水洗式便器の要部拡大模式図である。
【図３】実施例１の洋風水洗式便器に係り、図１のＡ−Ａ断面図である。
【図４】実施例２の洋風水洗式便器の模式図である。
【図５】従来の洋風水洗式便器の模式図である。
【符号の説明】
【００８１】
１０、１１…リム導水室
１０ａ、１１ａ…リム導水室を構成する下面
２０、３０…洋風便器本体
２１、３１…トラップ
２３、３３…リム
２３ａ、３３ａ…リム通水路
２４、３４…便鉢
２４ａ、３４ａ…鉢面
２９ａ、３９ａ…後部ベースプレート
２９ｂ、３９ｂ…前部ベースプレート
３５…壁面
３７ａ、３７ｂ…開閉弁
８８、８８ａ…リム給水管
８９…便器洗浄タンク
９０…水道管
９４…流量調整部
８８、８８ａ、８９、９２、９３ａ、９３ｂ、３７ａ…便器洗浄装置（８８、８８ａ…リム給水管、８９…便器洗浄タンク、９２…給水ユニット、９３ａ…便器洗浄タンク用ホース、９３ｂ…便器洗浄用ホース、３７ａ…開閉弁）
９２、９５、９６、９７、９８、３７ｂ…局部洗浄装置（９２…給水ユニット、９５…温水タンク用ホース、９６…捨て水ホース、９７…温水タンク、９８…ノズル、３７ｂ…開閉弁）
【図１】
2006291581.tif 000003
【図２】
2006291581.tif 000004
【図３】
2006291581.tif 000005
【図４】
2006291581.tif 000006
【図５】
2006291581.tif 000007